(57)【要約】【課題】シート面の破損（防水性のき損）が離れた場所からでも容易に検出することができることは勿論、その製造にラミネート貼着などの手間を要しないNATM工法用の複覆面の防水シートを提供すること。【解決手段】明度の高い色を持つ第一の合成樹脂材料とその材料より十分明度が低い色を持つ第二の合成樹脂材料とを共押出し成形して、表面側が前記第一の材料により、そして裏面側が前記第二の材料によって2層になったシート材を成形したこと。【選択図】図２
0003161456.tif 000002
【実用新案登録請求の範囲】
【請求項１】
明度の高い第一の合成樹脂材料とその材料よりも十分明度が低い第二の合成樹脂材料とを共押出し成形して、表面側が前記第一の材料により、そして裏面側が前記第二の材料によって2層になったシート材を成形したことを特徴とする防水シート。
【請求項２】
全体の厚味が0.8mm〜2.0mmであって、第一の材料による表面側の層と第二の材料による裏面側の層の厚み比が大略1：2〜1：3である請求項１の防水シート。
【請求項３】
第一の層と第二の層の共押出成形に用いる材料は、明度が大きく異なるEVA樹脂である請求項２の防水シート。
【考案の詳細な説明】
【技術分野】
【０００１】
本考案は主としてNATM工法により工事が施工されるトンネル工事に使用して有用な防水シートに関し、より具体的には施工時に施工面の尖鋭な角部や鉄筋などにより表面が傷付いて防水性が損なわれたことを肉眼で容易に検知乃至検出できるようにした防水シートに関する。
【背景技術】
【０００２】
NATM工法で使用される防水シートは、トンネルの断面形状に沿って掘削された地山に施工された一次覆工をその上から被覆して、二次覆工を施工し二次覆工側に地山から滲出する湧水などの水が二次覆工側に漏出するのを防ぐために用いられている。
【０００３】
上記のような態様で用いられる防水シートは、一次覆工面を被覆する際、当該一次覆工面の尖鋭な凹凸部や二次覆工用に配置される鉄筋などによって引き掻かれ、小さく破れることがままあるが、そのような破損を、透明乃至は半透明で厚さが0.8〜2mm程度の合成樹脂防水シートの外面から肉眼で検知することは、きわめて困難であった。
【０００４】
特に、工事中のトンネルにおける一次覆工ア一チ面の頂部側は、目視する工事関係者の眼から大きく離れ、かつ、工事中のトンネル内ゆえに十分な照明もないため、防水シートの小さな損傷を肉眼で見付けることは、困難を窮めた。
【０００５】
このような点に鑑み、NATM工法用の防水シートとして、当該シートの小さな損傷を見付け易くした技術が、特許文献１や同２により提案されているが、これらの提案技術には未だ解決すべき課題のあることが判明した。
【０００６】
すなわち、特許文献１の防水シートは、暗い又は濃い色のベースシートの表面に、明るい又は淡い色の薄いシートを貼着して複合シートとすると共に、当該複合シートの表面を凹凸粗面に形成したものであるが、2枚の成形シートを用意したうえで、これら2枚のシートを貼着、つまりラミネート加工し、更に、薄いシートの表面を凹凸粗面に加工しているため、製造に手間取りコスト的にも単層シートに比べ高価なものとなっていた。
【０００７】
一方、特許文献２の防水シートは、不透水層（つまり、単層の防水シート）に、電磁波照射によって発光現象を来たす発光物質粒子を分散させたシート状の発光層（発光性シート）を、積層・接合したものであるが、発光性シートの製造に手間取るのみならず、これを不透水層にラミネートしなければならない煩しさがあって、製造手間の面、コスト面から見て、NATM工法トンネルの一次覆工と二次覆工の間に埋設されてしまう使い捨て資材としては、経済性の面で問題であった。
【先行技術文献】
【特許文献】
【０００８】
【特許文献１】特公平5-68566号公報
【特許文献２】特許第4182361号公報
【考案の概要】
【考案が解決しようとする課題】
【０００９】
そこで本考案では、NATM工法における一次覆工と二次覆工の間に設置される防水シートであっても、当該シートの施工時に一次覆工面との擦過や引っ掛かりなどにより生じることがあるシート面の破損（防水性のき損）が離れた場所からでも容易に検出することができることは勿論、その製造にラミネート貼着などの手間を要しないNATM工法用の複覆面の防水シートを提供することを課題とする。
【課題を解決するための手段】
【００１０】
上記課題を解決することを目的としてなされた本考案防水シートの構成は、明度の高い色を持つ第一の合成樹脂材料とその材料より十分明度が低い色を持つ第二の合成樹脂材料とを共押出し成形して、表面側が前記第一の材料により、そして裏面側が前記第二の材料によって2層になったシート材を成形したことを特徴とするものである。具体的には表面側の色は白系、裏面側は黒系が望ましい。
【００１１】
上記構成の本考案防水シートにおいては、シート全体の厚味が0.8mm〜2.0mmであって、第一の材料による表面側の層と第二の材料による裏面側の層の厚み比が大略1：2〜1：3であることが望ましい。また、第一の層も第二の層も、使用する材料は、EVA樹脂であればよい。
【考案の効果】
【００１２】
本考案防水シートは、明度の高い色を有する第一の合成樹脂材料とその材料より十分明度が低い色を有する第二の合成樹脂材料とを共押出し成形して、表面側が前記第一の材料により、そして裏面側が前記第二の材料によって2層になったシート材を成形したことを特徴とするから、NATM工法のトンネル工事において、一次履工の外面に、不繊布と防水シートによる内面側通水層と外面側への防水層を配置するとき、防水シートが、万一、鉄筋等に衝当して破れが生じても、その破れによって裏面の黒っぽい層が明るい表面側に露出するので、離れた場所からでも防水シートの破損を肉眼で容易に検知することができる。
【００１３】
特に、本考案防水シートは、明度が大きく異なる明るい色の合成樹脂材料と暗い色の合成樹脂材料を、共押出し成形により2層のシートに成形するので、防水シートの製造にラミネート工程が不要になるという大きな経済的、省工程的な利点がある。
【図面の簡単な説明】
【００１４】
【図１】本発明防水シートを用いるNATM工法トンネルの壁面の平断面図。
【図２】図１の防水シートにおいて防水性をき損する傷が付いた場合を模式的に表した正面図。
【図３】従来の単層構造の防水シートに図２の場合と同様の傷が付いた場合を模式的に表した正面図。
【考案を実施するための形態】
【００１５】
次に、本考案防水シートの実施の態様例について、図面を参照して説明する。
図１において、１はNATM工法の一次履工側に向けられる不繊布による通水層で、通常3mmまたはそれ以上の厚さの不繊布により形成されている。
【００１６】
図１における２は、本考案防水シートの一例であって、ここでは不透光性の乳白色乃至グレー調の色味を有する表面層21と、該表面層21の裏面側にあって表面層21と一体に成形、一例として共押出し成形により形成された裏面層22から成る。
【００１７】
ここで、裏面層22は、表面層21の色調よりも十分に明度が低い黒，赤，紺などの暗い色の樹脂材料により形成されている。
【００１８】
本考案防水シートは、エチレンと酢酸ビニルを主成分として共重合したEVA樹脂のペレット，粉粒体を押出し成形用原料として使用し、表面層21と裏面層22とを共押出し成形することにより、一工程で一枚の２層（21，22）のシートに成形されるから、公知の複層シートのように、個々のシートを第一工程で成形してから、第二工程で１枚の第一シートの上に他の１枚の第二のシートをラミネートして複層シートにするといった２つの工程を必要としない。
【００１９】
上記のようにして、表面層21が二次履工側、裏面層22が不繊布による通水層１を介して一次履工側に向けられてトンネル工事中に、一次覆工面に配置されるとき、仮にも、裏面層22の側が鉄筋に衝突したり、尖い凹凸のある地山（一次履工面）に押付けられたりしてシート面が傷付いたり、裂けて防水性を毀損するようなことがあると、その状態が図２に例示したように、表面層21に覗いた裂け目Gvの中に裏面層22の黒い色が見える、つまり、白い表面層21の中に黒い裏面層22が“切り込み線状”に見えるので、遠く離れた所からでも肉眼で一瞥して防水シート２に破れが生じていることを発見することができる。
【００２０】
因みに、図３に示す乳白色の単層の従来防水シート23において、図２の本考案防水シート２と同様の傷（裂け目Gv）が付いた場合、当該シート23は全体が乳白色であるため、前記裂け目Gvが肉眼ではきわめて視認し難いということが知られている。
【産業上の利用可能性】
【００２１】
NATM工法により築造されるトンネル工事に用いる本考案防水シートは、明度の高い第一の合成樹脂材料とその材料により十分明度が低い第二の合成樹脂材料とを共押出し成形して、表面側が前記第一の材料により、そして裏面側が前記第二の材料によって2層になったシート材を成形したので、従来防水シートのように夫々に成形した２枚のシート材をラミネート工程を経て１枚の防水シートに形成する手間が要らず、従って、経済的にきわめて有利である一方、本考案防水シートは一工程で製造されたものであっても、ラミネート工程を経た２層防水シートと同様に、破れなどを肉眼により容易に検出できるという効果を奏するので、NATM工法によるトンネル工事に用いる防水シートとしてきわめて有用である。
【符号の説明】
【００２２】
１    不繊布による通水層
２    防水シート
２１  表面層
２２  裏面層
３    傷（例えば、裂け目）
【図１】
0003161456.tif 000003
【図２】
0003161456.tif 000004
【図３】
0003161456.tif 000005